(57)【要約】【課題】  呼び出した場所と呼び出し内容を知るだけで親機からは応答しない呼出通知装置において、１対の通信線で、子機から同時に呼び出しが発生しても確実に呼び出し情報を親機に送ることができる簡易な呼出通知装置を提供する。【解決手段】  いずれかの子機が信号を出力すると、出力されたことが全ての子機で分る伝送路で構築し、子機には衝突検出部を設けて、子機から送信する開始信号は子機ごとの信号幅が異なる様に可変設定し、ある子機が信号を出力したことを検出した他の子機は、ある子機が１回の送信を終了する時間幅以上の間、送信することを控える機能を設ける。【選択図】図１
2006211342.tif 000002
【特許請求の範囲】
【請求項１】
１つの親機と複数の子機が１対の通信線で順次並列に接続されている呼出通知装置であって、いずれかの前記子機から呼び出し通知の送信信号を出力すると、他の前記子機が送信信号を検知し、検知してから一定時間は他の子機は送信信号を出力せず待機して同時期に呼び出しが衝突しない機能を持ち、前記親機では前記子機からの送信信号を正しく受信できた場合に送信信号を取り込み、その情報に従って子機番号など子機情報を表示すると共に音を鳴動して呼び出しがあったことを人に知らせることを特徴とする呼出通知装置。
【請求項２】
１つの親機と複数の子機が無線で接続され、全ての前記子機が同一の無線周波数を使う無線伝送路が１チャンネルである呼出通知装置であって、いずれかの前記子機から呼び出し通知の送信信号を出力すると、他の前記子機が送信信号を検知し、検知してから一定時間は他の子機は送信信号を出力せず待機して同時期に呼び出しが衝突しない機能を持ち、前記親機では前記子機からの送信信号を正しく受信できた場合に送信信号を取り込み、その情報に従って子機番号など子機情報を表示すると共に音を鳴動して呼び出しがあったことを人に知らせることを特徴とする呼出通知装置。
【請求項３】
呼び出し通知の送信信号は開始信号と情報信号と終了信号に分け、開始信号から終了信号までの伝送時間を全ての前記子機で同じ長さに固定し、開始信号の信号幅は前記子機ごとに他の前記子機の信号を検知できる時間以上の時間差を持たせ、開始信号が終了してから情報信号が出力されるまでの間に無信号時間帯を設けて、衝突の検知を確実に行える手段を持たせた請求項１及び請求項２記載の呼出通知装置。
【請求項４】
前記親機には複数の呼び出し情報を記憶する記憶部を持ち、短い間に連続して前記子機から複数の呼び出しがあった場合その全ての情報を記憶し、表示と共に音を鳴動して呼び出しがあったことを人に知らせ、その全ての呼び出し情報を同時に表示するかまたは、人が確認ごとに順次１つづつ表示し、人が確認後に表示及び記憶部の呼び出し情報を消去する機能を持つことを特徴とする請求項１及び請求項２記載の呼出通知装置。
【請求項５】
前記子機に、子機ごとに異なるパルス数を発生するパルス発生部を持ち、呼び出し通知の情報信号に発生したパルスを入れて送信し、前記親機では情報信号のパルス数を計数してその数値を表示することで呼び出した子機番号を知ることができることを特徴とする請求項１及び請求項２記載の呼出通知装置。
【発明の詳細な説明】
【技術分野】
【０００１】
本発明は、病院や介護施設などに使用される呼び出しを通知する装置に関する。
【背景技術】
【０００２】
周知の様に、病院や介護施設では主に看護師（介護施設では介護士など）と患者が通話する為のナースコールシステムが設置されている。  また、介護施設やシルバーマンションでは高齢者に無線式呼出装置を所持させ、万一気分が悪くなった場合に管理者を呼び出せる設備が設置されている。
近年のナースコール装置は、特許文献１に示したように多機能で複雑化している。    施設に拠っては、呼び出されたことを知るだけの簡易な装置を要求される場合がある。
【特許文献１】特許第２８８７５５２号公報
【発明の開示】
【発明が解決しようとする課題】
【０００３】
本発明は、上記の要求を鑑み、簡素な構成でありながら確実に呼び出した場所が分る呼出通知装置を提供することにある。
【０００４】
子機が複数あり子機の情報を親機に送る場合、親機と子機の間を独立に通信線を配線する多線式の配線方法があるが、子機数が多いと配線工事が大変になり工事費も高価になる。（図２のＢを参照）  多線式の配線方法ではなく２線式または４線式の順次並列配線では、親機から子機を順番に呼び出して情報を収集していくポーリング方式が公知である。  ポーリング方式では、親機にポーリング送信機能、子機にはポーリング受信機能を設けなければならず装置が複雑になる。
【０００５】
そこで、呼び出した場所と呼び出し内容を知るだけで親機からは応答しない呼出通知装置では、多線式の配線にせず１対の通信線（有線の場合は図２のＡを参照、無線の場合は１つの周波数の伝送路で図２のＣを参照）で、子機から同時に呼び出しが発生しても確実に呼び出し情報を親機に送ることができる呼出通知装置を提供する。
【課題を解決するための手段】
【０００６】
１対の通信線に親機から子機へ順次並列接続（図２のＡ）している配線方式において、いずれかの子機が信号を出力すると、出力されたことが全ての子機で分る伝送路で構築し、子機には衝突検出部を設けて、ある子機が信号を出力したことを検出した他の子機は、ある子機が１回の送信を終了する時間幅以上の間、送信することを控える機能を設ける。  子機は、呼び出しボタンを押されると、衝突検知部で衝突状態でないことを確認してから、呼び出し情報を送信する機能を設ける。
【０００７】
全ての子機は、送信時間を同一に固定する。  子機からの送信フォーマットは、開始信号、情報信号、終了信号に分け、開始信号は子機ごとに信号幅が異なる様に可変設定できる手段を持つ。  開始信号が終了してから情報信号を送出するまでに無信号時間帯を設け、自分の子機が開始信号を終了した時点でも衝突があるかを検出し、衝突を検出した子機は一定時間送信を控え、その後に再度送信を試みる機能を設ける。  開始信号を出力した後の無信号時間帯に衝突を検出できない子機は、引き続いて情報信号、終了信号を出力する機能を設ける。
【０００８】
親機は、開始信号、情報信号、終了信号を受信する機能を設け、全ての信号を正しく受信した場合、情報信号を記憶部に保存し、その情報を表示部に表示すると共に、呼び出し音を鳴動して人に知らせる機能と確認ボタンが押されると鳴動音を停止し、不要になった表示を消去する機能を持つ。
【発明の効果】
【０００９】
本発明は、下記の効果が期待できる。
有線の場合、１対の信号線なので多線式配線に比べて配線工事が容易で工事費が安価で済む。
１対の信号線であっても、複数の子機で同時に呼び出しが発生しても欠落することなく全ての呼び出しを確実に送信できる。
ポーリング方式の呼出通知装置と比較して簡易な構成で装置を実現できる。
また、本発明の呼出通知装置はポーリング方式より情報伝達が速い。  ポーリング方式は、子機数が多い程、また通信速度が遅い程、全ての子機の情報を収集する時間を要するのに対して、本発明の呼出通知装置は呼び出しが発生した子機だけが信号を送るので情報伝達が速い。
【発明を実施するための最良の形態】
【００１０】
以下、本発明の一実施形態を図面に基づいて説明する。
図１は、子機（８）と親機（９）の構成を示す図である。  子機（８）では、呼出ボタン（１）が押されると呼出し保持部（２）で内容が保持され、子機制御部（４）に通知される。
子機制御部（４）は、マイクロコンピュータとその周辺回路で構成しても良いし、ハードロジック回路で構成しても良い。  子機制御部（４）は、通信線（７）に他の子機が信号を出していないか
衝突検知部（６）から情報をもらい、衝突が無いと判断した時、呼出し保持部（２）に保持されている呼び出しを情報送信部（３）へ送り、情報送信部（３）は開始信号、情報信号、終了信号の決められた送信フォーマットを構築して送信部（５）を経由して通信線（７）に呼び出し情報を送り出す。  子機制御部（４）は、他の子機と衝突があることを検知したら、他の子機が送信を終了する時間幅以上待機状態を保ち、呼出ボタン（１）が押されていても送信しない。
開始信号幅設定部（１９）は、子機ごとに開始信号の幅を設定できる部位であり、全ての子機で異なる幅に設定する。
【００１１】
親機（９）では、子機から送られてきた送信信号を受信部（１０）で受け、信号が変調されていれば復調して情報受信部（１１）へ送り込む。  開始信号、情報信号、終了信号が正しく受信された場合、親機制御部（１２）は情報信号を記憶部（１３）に保存し、出力部（１４）を経由して表示部（１５）に子機からの呼び出し情報、例えば子機番号などを表示し、音発生部（１６）から呼び出し音を鳴動して人に知らせる。  親機制御部（１２）は、マイクロコンピュータとその周辺回路で構成しても良いし、ハードロジック回路で構成しても良い。  マイクロコンピュータで構成した場合、記憶部（１３）はマイクロコンピュータの内部記憶メモリを利用しても良い。
【００１２】
記憶部（１３）は、複数の呼び出しを記憶することが出来、短い間に複数の呼び出しが発生しても対応できる。  表示部（１５）は表示窓を複数用意しても良いし、１つであれば確認ボタン（１８）を押す度に順次子機情報を見れるように設計する。  呼び出しを知らせる鳴動音は、確認ボタン（１８）を押されたら停止する。    これらの制御は全て親機制御部（１２）が行う。
【００１３】
図２は、子機から親機へ信号を送る通信線の代表例を示したもので、（Ａ）の順次並列式配線と（Ｃ）の同一周波数の無線伝送が本発明の利用する通信線である。  （Ｂ）の多線式配線は、（Ａ）との比較説明する為の図である。    （Ｂ）の多線式配線は、親機と子機の間をそれぞれ独立した通信線で配線され、子機からの送信情報が親機では個別に受け取れるので、どの子機から送信されたかは親機側で分る。  また、子機が同時に信号を送出しても親機で受信部を子機ごとに独立して設けてあれば信号の衝突を心配しなくて良い。    しかし、子機数が多くなると、親機の受信部は子機数分持たなくてはならないことや、配線工事が大変になり工事費も高価になるなどの欠点がある。
【００１４】
本発明は、この欠点を解決する為に図２の（Ａ）及び（Ｃ）の通信線で子機から信号を送り、かつ子機同士の信号の衝突を防ぐ様に工夫したものである。
【００１５】
図２の（Ａ）の配線にしていずれかの子機から信号を出力した場合、全ての子機で信号が出力されたことが分らないと衝突を検知できないので、すべての子機で分る信号形式にすることが要求される。    その原理的説明を図３に示す。    送信信号（３１）は、ON・OFFを繰り返すことで親機に子機の情報を伝える。          親機（９）では、電圧＋ＶＣＣが負荷抵抗Ｒ（３３）を通して通信線（７）に接続され、通信線（７）は各子機へ接続されている。通信線（７）の戻り線は親機（９）の０Ｖに接続されている。    いずれかの子機で、例えば子機２で送信信号がＯＮになると衝突検知部（６）の入力は今まで＋ＶＣＣの電圧値であったが０Ｖに変化する。  この変化は子機２だけでなく全ての子機で０Ｖになるので、全ての子機の衝突検知部（６）で自分の子機が信号を出力していなければ他の子機で信号を出力していることが分る。  そこで子機２以外の子機は、子機２が送信情報を送り終わるまで送信情報があっても送信を控える。    図２の（Ｃ）の無線伝送の場合は、いずれかの子機が送信電波を発すれば、他の子機がその電波をとらえて送信中であることが分る。  
【００１６】
子機は呼び出しボタンを押されると、他の子機が送信信号を出力していないことを確認してから送信を開始するが、送信開始が他の子機と全く同時の場合は送信開始の時点では衝突を検知できな
い。    しかし、子機ごとに開始信号の幅が異なるので、開始信号が短い子機では、開始信号を終了した時点で他の子機が信号を出していることを検知して、その後の送信をある一定時間控える。
開始信号幅が長い方の子機は、開始信号を終了した時点で衝突を検知できないので、一定の無信号時間帯後に情報信号を出力し、最後に終了信号を送出する。
【００１７】
図４は、子機Ｎと子機Ｍが同時に送信を開始した送信フォーマットを示す。  （Ａ）が子機Ｎの送信フォーマット、（Ｂ）が子機Ｍの送信フォーマットである。
子機Ｍが開始信号を終了した時点（検出領域２７）で、子機Ｎが開始信号をまだ出し続けている（２６の領域）ので、子機Ｍは衝突が検知でき、その後の送信を中止する。  図４では、説明の便宜上  子機Ｍの送信フォーマットを全て表示してあるが、実際は開始信号を出して終了する。  一方、子機Ｎは開始信号を終了した時点（検出領域２４）で衝突を検知できないのでその後、情報信号（２１）、終了信号（２２）を送出する。    子機Ｍは、子機Ｎが送信を終了するのを待ってから、再び開始信号を出力する。
【００１８】
図３における０Ｖが論理「１」とした場合、開始信号及び終了信号は図４では、べた信号の全て「１」で示したが、必ずしもそうである必要は無い。  例えば論理の「１」と「０」を繰り返す  １０１０１０１０１０・・・    等のある規則を持った信号でもよい。
【００１９】
情報信号に乗せる信号は、コード化された情報、例えば子機番号や呼び出しの種類の信号であったり、子機番号を示すパルス数であったり、ＤＴＭＦ（デュアル・トーン・マルチ・フリークェンシー）信号であってもよい。    情報信号がパルス数であれば、図１で示した情報受信部（１１）が開始信号を正常に受信した後、パルスを計数するカウンタ回路で構築することが出来る。  そして記憶部（１３）は、メモリであってもシフトレジスタ回路で構築しても良い。  呼び出し情報が複数到着した時、シフトレジスタを順次シフトして複数個の呼び出しに対応できる構成とする。
ＤＴＭＦ信号の場合は、開始信号を正常に受信した後、情報受信部（１１）が周波数信号をデコードできる回路を使用すれば良い。
また、送信信号は、全ての子機で衝突を検知できるという条件でベースバンド信号だけではなく、変調が掛けられた信号であっても良い。  図１において、送信部（５）で変調が掛けられていれば、
受信部（１０）で復調されるように構成する。
【００２０】
図１において、親機制御部（１２）に時計回路があれば、呼び出し情報１つ１つに月日時刻を付加して記憶部（１３）に保存することも可能となる。  この場合は、確認ボタン（１８）に過去の履歴を検索する機能を設ければ、過去の呼び出し情報が月日時刻付で見ることが出来る。
【図面の簡単な説明】
【００２１】
【図１】呼出通知装置の親機と子機の構成
【図２】通信線の配線方式
【図３】信号の衝突を説明する原理図
【図４】送信信号の送信フォーマット
【符号の説明】
【００２２】
1.                 
呼び出しボタン                          2.      呼出し保持部
3.           
情報送信部                              4.      子機制御部
5.           
送信部                           
6.      衝突検知部
7.           
通信線                                  8.      子機
9.           
親機                              
10.      受信部
11.       情報受信部                             12.      親機制御部
13.    記憶部                                 14.      出力部
15.    表示部                                 16.      音発生部
17.    入力部                                 18.      確認ボタン
19.    開始信号幅設定部                       20.      開始信号
21.    情報信号                               22.      終了信号  
26.    開始信号の時間差            23.  24.  25.  27.  28.  29.    衝突検出領域
31.    送信信号                               32.      受信部
33.    負荷抵抗                               
【図１】
2006211342.tif 000003
【図２】
2006211342.tif 000004
【図３】
2006211342.tif 000005
【図４】
2006211342.tif 000006